(57)【要約】      （修正有）【課題】非使用時に摩擦部が汚れることを防止できるとともに、被筆記面に対して本体を垂直状態にしなくても円滑な摩擦操作が可能な熱変色性筆記具及び摩擦具を提供する。【解決手段】本体の摩擦部３１側の端部の外面に、摩擦部３１の外周を包囲する保護部材４を設け、保護部材４自体が軸方向の弾発力を備えるとともに軸方向に伸縮可能且つ径方向外方に撓曲可能に設けられ、摩擦部３１の非使用時、保護部材４の頂部が摩擦部３１の頂部よりも軸方向前方に突出し、摩擦部３１の使用時、被筆記面と保護部材４の頂部との接触により、保護部材４が軸方向後方に圧縮変形するとともに、その圧縮変形量が被筆記面と本体との傾きにより自由に変化してなり、保護部材４自体の軸方向の弾発力が、熱変色性筆記具１全体の重量より高く設定される。【選択図】図１
2018183958.tif 000002
【特許請求の範囲】
【請求項１】
筒状の本体の端部に、熱変色性インキの筆跡を摩擦しその際に生じる摩擦熱で該筆跡を熱変色可能な低摩耗性の弾性材料からなる摩擦部を備え、且つ、内部に熱変色性インキを収容した熱変色性筆記具であって、
前記本体の摩擦部側の端部の外面に、前記摩擦部の外周を包囲する保護部材を設け、
前記保護部材自体が軸方向の弾発力を備えるとともに軸方向に伸縮可能且つ径方向外方に撓曲可能に設けられ、
前記摩擦部の非使用時、前記保護部材の頂部が前記摩擦部の頂部よりも軸方向前方に突出し、
前記摩擦部の使用時、被筆記面と前記保護部材の頂部との接触により、前記保護部材が軸方向後方に圧縮変形するとともに、その圧縮変形量が被筆記面と本体との傾きにより自由に変化してなり、
前記保護部材自体の軸方向の弾発力が、熱変色性筆記具全体の重量より高く設定されることを特徴とする熱変色性筆記具。
【請求項２】
前記保護部材が軸方向に伸縮可能且つ径方向外方に撓曲可能な蛇腹状側壁を備える請求項１記載の熱変色性筆記具。
【請求項３】
前記保護部材が軸方向に伸縮可能且つ径方向外方に撓曲可能なコイルスプリングからなる請求項１記載の熱変色性筆記具。
【請求項４】
本体の端部に、熱変色性インキの像または筆跡を摩擦しその際に生じる摩擦熱で該像または筆跡を熱変色可能な低摩耗性の弾性材料からなる摩擦部を備えた摩擦具であって、
前記本体の摩擦部側の端部の外面に、前記摩擦部の外周を包囲する保護部材を設け、
前記保護部材自体が軸方向の弾発力を備えるとともに軸方向に伸縮可能且つ径方向外方に撓曲可能に設けられ、
前記摩擦部の非使用時、前記保護部材の頂部が前記摩擦部の頂部よりも軸方向前方に突出し、
前記摩擦部の使用時、被筆記面と前記保護部材の頂部との接触により、前記保護部材が軸方向後方に圧縮変形するとともに、その圧縮変形量が被筆記面と本体との傾きにより自由に変化してなり、
前記保護部材自体の軸方向の弾発力が、摩擦具全体の重量より高く設定されることを特徴とする摩擦具。
【請求項５】
前記保護部材が軸方向に伸縮可能且つ径方向外方に撓曲可能な蛇腹状側壁を備える請求項４記載の摩擦具。
【請求項６】
前記保護部材が軸方向に伸縮可能且つ径方向外方に撓曲可能なコイルスプリングからなる請求項４記載の摩擦具。
【発明の詳細な説明】
【技術分野】
【０００１】
本発明は、筒状の本体の端部に、熱変色性インキの筆跡を摩擦しその際に生じる摩擦熱で該筆跡を熱変色可能な低摩耗性の弾性材料からなる摩擦部を備え、且つ、内部に熱変色性インキを収容した熱変色性筆記具、及び本体の端部に、熱変色性インキの像または筆跡を摩擦しその際に生じる摩擦熱で該像または筆跡を熱変色可能な低摩耗性の弾性材料からなる摩擦部を備えた摩擦具に関する。
【背景技術】
【０００２】
従来、熱変色性筆記具において、非使用時、ペンケース、ペン立て、または衣服のポケット等に収納して保管すると、摩擦部が常に外部に露出しているため、摩擦部が、他の物品（例えば、他の筆記具外面、ペンケースの内面、ペン立ての底面、または衣服のポケット内面等）に接触することにより、摩擦部表面に塵や埃が付着し、摩擦部表面が汚れることがあり、その汚れた状態の摩擦部を用いて紙面を摩擦すると、紙面が汚れてしまう不具合があった。
前記不具合を解決するため、非使用時に摩擦部が汚れることを防止できる熱変色性筆記具が提案されている。
例えば、特許文献１には、筒状の本体の端部に、熱変色性インキの筆跡を摩擦しその際に生じる摩擦熱で該筆跡を熱変色可能な低摩耗性の弾性材料からなる摩擦部を備え、且つ、内部に熱変色性インキを収容した熱変色性筆記具であって、前記本体の摩擦部側の端部の外面に、前記摩擦部の外周を包囲する保護部材を設け、前記保護部材が、軸方向に移動可能に設けられるとともに弾発体により軸方向前方に常時付勢され、前記摩擦部の非使用時、前記保護部材の頂部が前記摩擦部の頂部よりも軸方向前方に突出し、前記摩擦部の使用時、被筆記面と前記保護部材の頂部との接触により、前記保護部材が軸方向後方に移動してなることを特徴とする熱変色性筆記具が開示されている。
【先行技術文献】
【特許文献】
【０００３】
【特許文献１】特開２０１４−１９３５７３号公報
【発明の概要】
【発明が解決しようとする課題】
【０００４】
ところが、前記特許文献１の熱変色性筆記具は、保護部材が軸方向に移動可能であり、摩擦操作時、本体を被筆記面に対して垂直にして使用する場合には、問題ないが、仮に、本体を被筆記面に対して垂直状態から傾けて使用する場合、保護部材が軸方向に円滑に摺動せず、円滑な摩擦操作ができないおそれがある。
【０００５】
本発明は前記従来の問題点を解決するものであって、非使用時に摩擦部が汚れることを防止できるとともに、被筆記面に対して本体を垂直状態にしなくても円滑な摩擦操作が可能な熱変色性筆記具及び摩擦具を提供しようとするものである。
【０００６】
尚、本発明において、「前」とは摩擦部側を指し、「後」とはその反対側を指す。
【課題を解決するための手段】
【０００７】
本願の第１の発明は、筒状の本体の端部に、熱変色性インキの筆跡を摩擦しその際に生じる摩擦熱で該筆跡を熱変色可能な低摩耗性の弾性材料からなる摩擦部を備え、且つ、内部に熱変色性インキを収容した熱変色性筆記具であって、
前記本体の摩擦部側の端部の外面に、前記摩擦部の外周を包囲する保護部材を設け、
前記保護部材自体が軸方向の弾発力を備えるとともに軸方向に伸縮可能且つ径方向外方に撓曲可能に設けられ、
前記摩擦部の非使用時、前記保護部材の頂部が前記摩擦部の頂部よりも軸方向前方に突出し、
前記摩擦部の使用時、被筆記面と前記保護部材の頂部との接触により、前記保護部材が軸方向後方に圧縮変形するとともに、その圧縮変形量が被筆記面と本体との傾きにより自由に変化してなり、
前記保護部材自体の軸方向の弾発力が、熱変色性筆記具全体の重量より高く設定されることを要件とする。
【０００８】
前記第１の発明の熱変色性筆記具１は、前記本体の摩擦部側の端部の外面に、前記摩擦部の外周を包囲する保護部材を設け、
前記保護部材自体が軸方向の弾発力を備えるとともに軸方向に伸縮可能且つ径方向外方に撓曲可能に設けられ、
前記摩擦部の非使用時、前記保護部材の頂部が前記摩擦部の頂部よりも軸方向前方に突出し、
前記摩擦部の使用時、被筆記面と前記保護部材の頂部との接触により、前記保護部材が軸方向後方に圧縮変形するとともに、その圧縮変形量が被筆記面と本体との傾きにより自由に変化してなり、
前記保護部材自体の軸方向の弾発力が、熱変色性筆記具全体の重量より高く設定されることより、
非使用時、ペンケース、ペン立て、または衣服のポケット等に収納して保管しても、保護部材４により摩擦部３１が、他の物品（例えば、他の筆記具外面、ペンケースの内面、ペン立ての底面、または衣服のポケット内面等）に接触することが回避され、非使用時に摩擦部３１が汚れることを防止できるとともに、被筆記面に対して本体を垂直状態にしなくても円滑な摩擦操作が可能となる。尚、本発明で筒状の本体２は、例えば、一端にペン先を備え且つ内部に熱変色性インキを収容した軸筒が挙げられる。本発明で、保護部材４が摩擦部３１の外周を包囲するとは、例えば、保護部材４が、摩擦部３１の外周を完全に包囲する筒状体からなる構成、摩擦部３１の外周の一部または大部分を包囲する半筒状体からなる構成、または摩擦部３１の外周を包囲するよう間隔を置いて分散配置される複数の突出片からなる構成等が挙げられる。
【０００９】
本願の第２の発明は、前記第１の発明の熱変色性筆記具において、前記保護部材が軸方向に伸縮可能且つ径方向外方に撓曲可能な蛇腹状側壁を備えることを要件とする。
【００１０】
前記第２の発明の熱変色性筆記具１は、前記保護部材が軸方向に伸縮可能且つ径方向外方に撓曲可能な蛇腹状側壁を備えることにより、
製造上及び構造上容易に軸方向に伸縮可能且つ径方向外方に撓曲可能な保護部材を提供することが可能となる。
【００１１】
本願の第３の発明は、前記第１の発明の熱変色性筆記具において、前記保護部材が軸方向に伸縮可能且つ径方向外方に撓曲可能なコイルスプリングからなることを要件とする。
【００１２】
前記第３の発明の熱変色性筆記具１は、前記保護部材が軸方向に伸縮可能且つ径方向外方に撓曲可能なコイルスプリングからなることにより、
製造上及び構造上、より容易に軸方向に伸縮可能且つ径方向外方に撓曲可能な保護部材を提供することが可能となる。また保護部材自体の耐久性も向上する。
【００１３】
本願の第４の発明は、本体の端部に、熱変色性インキの像または筆跡を摩擦しその際に生じる摩擦熱で該像または筆跡を熱変色可能な低摩耗性の弾性材料からなる摩擦部を備えた摩擦具であって、
前記本体の摩擦部側の端部の外面に、前記摩擦部の外周を包囲する保護部材を設け、
前記保護部材自体が軸方向の弾発力を備えるとともに軸方向に伸縮可能且つ径方向外方に撓曲可能に設けられ、
前記摩擦部の非使用時、前記保護部材の頂部が前記摩擦部の頂部よりも軸方向前方に突出し、
前記摩擦部の使用時、被筆記面と前記保護部材の頂部との接触により、前記保護部材が軸方向後方に圧縮変形するとともに、その圧縮変形量が被筆記面と本体との傾きにより自由に変化してなり、
前記保護部材自体の軸方向の弾発力が、摩擦具全体の重量より高く設定されることを要件とする。
【００１４】
前記第４の発明の摩擦具１は、本体の端部に、熱変色性インキの像または筆跡を摩擦しその際に生じる摩擦熱で該像または筆跡を熱変色可能な低摩耗性の弾性材料からなる摩擦部を備えた摩擦具であって、
前記本体の摩擦部側の端部の外面に、前記摩擦部の外周を包囲する保護部材を設け、
前記保護部材自体が軸方向の弾発力を備えるとともに軸方向に伸縮可能且つ径方向外方に撓曲可能に設けられ、
前記摩擦部の非使用時、前記保護部材の頂部が前記摩擦部の頂部よりも軸方向前方に突出し、
前記摩擦部の使用時、被筆記面と前記保護部材の頂部との接触により、前記保護部材が軸方向後方に圧縮変形するとともに、その圧縮変形量が被筆記面と本体との傾きにより自由に変化してなり、
前記保護部材自体の軸方向の弾発力が、摩擦具全体の重量より高く設定されることより、
非使用時、ペンケース、ペン立て、または衣服のポケット等に収納して保管しても、保護部材４により摩擦部３１が、他の物品（例えば、他の筆記具外面、ペンケースの内面、ペン立ての底面、または衣服のポケット内面等）に接触することが回避され、非使用時に摩擦部３１が汚れることを防止できるとともに、被筆記面に対して本体を垂直状態にしなくても円滑な摩擦操作が可能となる。尚、本発明で筒状の本体２は、例えば、軸筒のペン先側に着脱自在に装着されるキャップが挙げられる。本発明で、保護部材４が摩擦部３１の外周を包囲するとは、例えば、保護部材４が、摩擦部３１の外周を完全に包囲する筒状体からなる構成、摩擦部３１の外周の一部または大部分を包囲する半筒状体からなる構成、または摩擦部３１の外周を包囲するよう間隔を置いて分散配置される複数の突出片からなる構成等が挙げられる。
【００１５】
本願の第５の発明は、前記第４の発明の摩擦具において、前記保護部材が軸方向に伸縮可能且つ径方向外方に撓曲可能な蛇腹状側壁を備えることを要件とする。
【００１６】
前記第５の発明の摩擦具１は、前記保護部材が軸方向に伸縮可能且つ径方向外方に撓曲可能な蛇腹状側壁を備えることにより、
製造上及び構造上容易に軸方向に伸縮可能且つ径方向外方に撓曲可能な保護部材を提供することが可能となる。
【００１７】
本願の第６の発明は、前記第４の発明の摩擦具において、前記保護部材が軸方向に伸縮可能且つ径方向外方に撓曲可能なコイルスプリングからなることを要件とする。
【００１８】
前記第６の発明の摩擦具１は、前記保護部材が軸方向に伸縮可能且つ径方向外方に撓曲可能なコイルスプリングからなることにより、
製造上及び構造上、より容易に軸方向に伸縮可能且つ径方向外方に撓曲可能な保護部材を提供することが可能となる。また保護部材自体の耐久性も向上する。
【００１９】
本発明において、前記摩擦部３１を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部３１を構成する弾性を有する合成樹脂は、高摩耗性の弾性材料（例えば、消しゴム等）ではなく、摩擦時に摩耗カス（消しカス）が殆ど生じない低摩耗性の弾性材料である。
【００２０】
本発明において、前記保護部材４を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。または、オレフィン系樹脂が好ましく、例えばポリエチレン、ポリプロピレン等が挙げられる。前記保護部材４を構成する弾性を有する合成樹脂は、高摩耗性の弾性材料（例えば、消しゴム等）ではなく、摩擦時に摩耗カス（消しカス）が殆ど生じない低摩耗性の弾性材料である。
【発明の効果】
【００２１】
本発明の熱変色性筆記具及び摩擦具は、非使用時に摩擦部が汚れることを防止できる。
【図面の簡単な説明】
【００２２】
【図１】本発明の実施の形態１の摩擦部非使用時の要部縦断面図である。
【図２】本発明の実施の形態１の摩擦部使用時の要部縦断面図である。
【図３】本発明の実施の形態２の摩擦部非使用時の要部縦断面図である。
【図４】本発明の実施の形態２の摩擦部使用時の要部縦断面図である。
【発明を実施するための形態】
【００２３】
[実施の形態１]
図１又は図２に本発明の実施の形態１を示す。
【００２４】
・本体
本体２は、円筒状の内部材２１と、該内部材２１の前端部外周面に固着される円筒状の外部材２２とからなる。本体２の内部材２１及び外部材２２は、合成樹脂または金属により形成される。本体２は、例えば、内部に熱変色性インキが収容され且つ該熱変色性インキが吐出可能なペン先を一端に備えた軸筒、あるいは軸筒に備えた部材、軸筒のペン先側に着脱自在のキャップ、または摩擦具が挙げられる。本体２が軸筒の場合、軸筒の反ペン先側の端部に摩擦部３１が設けられる。本体２がキャップの場合、キャップの閉鎖側端部に摩擦部３１が設けられる。
【００２５】
・内部材
内部材２１は、前端部に、小径部２１ａと該小径部２１ａより後方に連設される大径部２１ｂと、該大径部２１ｂと小径部２１ａとの間に形成される肩部２１ｃとを備える。内部材２１の小径部２１ａの前端部には、取付孔２１ｄが設けられる。取付孔２１ｄの内周面には、内向突起が形成される。
【００２６】
・外部材
外部材２２は、内部材２１の大径部２１ｂの外周面に嵌着され且つ小径部２１ａの外周面を包囲する。外部材２２の前端部内面には、環状突起２２ａが形成される。
【００２７】
・摩擦部材
筒状の本体２の一端に、低摩耗性の弾性材料（例えば、シリコーン樹脂、ＳＢＳ樹脂、ＳＥＢＳ樹脂）からなる摩擦部材３が固着される。摩擦部材３は、外部に露出する大径の前部と、本体２の取付孔２１ｄ（内部材２１の取付孔２１ｄ）に嵌着される小径の後部とからなる。摩擦部材３の後部が取付孔２１ｄに嵌入される。摩擦部材３の後部の外周面には、外向突起が形成され、該外向突起が、摩擦部材３の後部を取付孔２１ｄに嵌入した際、取付孔２１ｄ内周面の内向突起と乗り越え係合される。大径の前部の頂部には凸曲面状の摩擦部３１が形成される。
【００２８】
・出没孔，収容孔，段部
本体２の内部材２１の小径部２１ａ外周周面と外部材２２内周面との間には、環状空間が形成される。前記環状空間が、環状突起２２ａの内側に形成され且つ軸方向前方に開口する出没孔２３と、該出没孔２３より後方に連設される大径の収容孔２４とからなる。出没孔２３と収容孔２４との間には段部２５が形成される。
【００２９】
・保護部材
収容孔２４の内部に、筒状の保護部材４が設けられ、保護部材４は、蛇腹状側壁４１と、該蛇腹状側壁４１の後端部外面より径方向外方に突出する凸部４２とを備え、収容孔２４内に凸部４２が収容される。保護部材４の蛇腹状側壁４１が、軸方向の弾発
力を備えるとともに軸方向に伸縮可能且つ径方向外方に撓曲可能に設けられる。
摩擦部３１の非使用時、保護部材４の頂部が摩擦部３１の頂部よりも軸方向前方に突出し、
摩擦部３１の使用時、被筆記面６と保護部材４の頂部との接触により、保護部材４が軸方向後方に圧縮変形するとともに、その圧縮変形量が被筆記面と本体との傾きにより自由に変化する。
保護部材４自体の軸方向の弾発力が、摩擦具１全体の重量より高く設定され、
蛇腹部４１の頂部が、凸曲面状（Ｒ曲面状）に形成される。
また、保護部材４は、合成樹脂（例えば、ポリプロピレン、ポリエチレン、エラストマー等）により一体に形成され、保護部材４を、透明性を有する合成樹脂により形成することにより、摩擦操作時、摩擦部３１を視認することできる。
【００３０】
前記保護部材４は、前端に環状当接部４４を備える。前記環状当接部４４は、摩擦部３１の使用時、常に被筆記面６と環状に当接している。即ち、前記環状当接部４４は、摩擦部３１の使用時、本体の軸線と被筆記面とが垂直状態、又は、本体の軸線と被筆記面とが垂直状態から傾けた状態において、被筆記面と環状の当接状態が維持される。また、前記環状当接部４４は、その前端に複数の凸部を周状に分散配置した構成でもよい。その場合、前記環状当接部４４（各々の凸部）が被筆記面６と略環状に当接される。
【００３１】
・作用
本実施の形態１は、摩擦部３１の非使用時、保護部材４の蛇腹状側壁４１が摩擦部３１を包囲し、蛇腹状側壁４１の頂部が摩擦部３１の頂部よりも前方に位置してなる。それにより、ペンケース、ペン立て、または衣服のポケット等に収納して保管しても、保護部材４により摩擦部３１が、他の物品（例えば、他の筆記具外面、ペンケースの内面、ペン立ての底面、または衣服のポケット内面等）に接触することが回避され、摩擦部３１が汚れることを防止できる。
【００３２】
本実施の形態１は、摩擦部３１の使用時、被筆記面６と保護部材４の蛇腹状側壁４１の頂部とが接触し、被筆記面６により保護部材４が後方に押圧され、摩擦部３１を被筆記面６に押し当てて使用できる。それにより、摩擦操作前に、保護部材４を移動させる別の操作が不要となり、摩擦部３１を迅速に使用できる。また、被筆記面６に対して本体２を垂直状態にしなくても円滑な摩擦操作が可能となる。
【００３３】
[実施の形態２]
図３又は図４に本発明の実施の形態２を示す。
【００３４】
・本体
本体２は、円筒状の内部材２１からなる。本体２の内部材２１は、合成樹脂または金属により形成される。本体２は、例えば、内部に熱変色性インキが収容され且つ該熱変色性インキが吐出可能なペン先を一端に備えた軸筒、あるいは軸筒に備えた部材、軸筒のペン先側に着脱自在のキャップ、または摩擦具が挙げられる。本体２が軸筒の場合、軸筒の反ペン先側の端部に摩擦部３１が設けられる。本体２がキャップの場合、キャップの閉鎖側端部に摩擦部３１が設けられる。
【００３５】
・内部材
内部材２１は、前端部に、小径部２１ａと該小径部２１ａより後方に連設される大径部２１ｂと、該大径部２１ｂと小径部２１ａとの間に形成される肩部２１ｃとを備える。内部材２１の小径部２１ａの前端部には、取付孔２１ｄが設けられる。取付孔２１ｄの内周面には、内向突起が形成される。
【００３６】
・摩擦部材
筒状の本体２の一端に、低摩耗性の弾性材料（例えば、シリコーン樹脂、ＳＢＳ樹脂、ＳＥＢＳ樹脂）からなる摩擦部材３が固着される。摩擦部材３は、外部に露出する大径の前部と、本体２の取付孔２１ｄ（内部材２１の取付孔２１ｄ）に嵌着される小径の後部とからなる。摩擦部材３の後部が取付孔２１ｄに嵌入される。摩擦部材３の後部の外周面には、外向突起が形成され、該外向突起が、摩擦部材３の後部を取付孔２１ｄに嵌入した際、取付孔２１ｄ内周面の内向突起と乗り越え係合される。前記大径の前部の頂部には凸曲面状の摩擦部３１が形成される。
【００３７】
・保護部材
内部材２１の小径部２１ａの外面に、保護部材４であるコイルスプリング４３が嵌着される。保護部材４のコイルスプリング４３が軸方向の弾発力を備えるとともに軸方向に伸縮可能且つ径方向外方に撓曲可能に設けられる。
摩擦部３１の非使用時、保護部材４の頂部が摩擦部３１の頂部よりも軸方向前方に突出し、
摩擦部３１の使用時、被筆記面６と保護部材４の頂部との接触により、保護部材４が軸方向後方に圧縮変形するとともに、その圧縮変形量が被筆記面と本体との傾きにより自由に変化する。
保護部材４自体の軸方向の弾発力が、摩擦具１全体の重量より高く設定される。
また、保護部材４であるコイルスプリング４３は、金属線材（例えば、ステンレス鋼製線材）を螺旋状（コイル状）に巻回された圧縮コイルスプリング、または合成樹脂により成形された圧縮コイルスプリングよりなる。保護部材４であるコイルスプリング４３は、線材間を通して、摩擦操作時、外部より摩擦部３１を視認することできる。
【００３８】
前記保護部材４であるコイルスプリング４３は、前端に密着巻部４３ａを備える。前記密着巻部４３ａの前端は、摩擦部３１の使用時、常に被筆記面６と略環状に当接している。即ち、前記密着巻部４３ａは、摩擦部３１の使用時、本体の軸線と被筆記面とが垂直状態、又は、本体の軸線と被筆記面とが垂直状態から傾けた状態において、被筆記面と略環状の当接状態が維持される。
【００３９】
・作用
本実施の形態２は、摩擦部３１の非使用時、保護部材４のコイルスプリング４３が摩擦部３１を包囲し、コイルスプリング４３の頂部が摩擦部３１の頂部よりも前方に位置してなる。それにより、ペンケース、ペン立て、または衣服のポケット等に収納して保管しても、保護部材４により摩擦部３１が、他の物品（例えば、他の筆記具外面、ペンケースの内面、ペン立ての底面、または衣服のポケット内面等）に接触することが回避され、摩擦部３１が汚れることを防止できる。
【００４０】
本実施の形態２は、摩擦部３１の使用時、被筆記面６と保護部材４のコイルスプリング４３の頂部とが接触し、被筆記面６により保護部材４が後方に押圧され、摩擦部３１を被筆記面６に押し当てて使用できる。それにより、摩擦操作前に、保護部材４を移動させる別の操作が不要となり、摩擦部３１を迅速に使用できる。また、被筆記面６に対して本体２を垂直状態にしなくても円滑な摩擦操作が可能となる。
【符号の説明】
【００４１】
１  熱変色性筆記具又は摩擦具
２  本体
２１  内部材
２１ａ  小径部
２１ｂ  大径部
２１ｃ  肩部
２１ｄ  取付孔
２２  外部材
２２ａ  環状突起
２３  出没孔
２４  収容孔
２５  段部
３  摩擦部材
３１  摩擦部
４  保護部材
４１  蛇腹状側壁
４２  凸部
４３  コイルスプリング
４３ａ  密着巻部
４４  環状当接部
６  被筆記面
【図１】
2018183958.tif 000003
【図２】
2018183958.tif 000004
【図３】
2018183958.tif 000005
【図４】
2018183958.tif 000006